(57)【要約】      （修正有）【課題】ギター演奏者を音声出力ケーブルの束縛から開放し、自由に動けるようにすることができる無線転送機能付きのワイヤレス・ピックアップを提供する。【解決手段】ワイヤレス・ピックアップは、ギターのサウンド・ホールに取り付けられる筐体を有するワイヤレス・ピックアップであって、筐体内に電磁ピックアップ２、イコライザ３、イコライザ制御回路ユニット４０１と音量・サウンド制御ユニット４０２から構成されるイコライザ制御モジュール４、無線出力放射モジュール５、給電モジュール６を備える。電磁ピックアップ２は、イコライザ制御モジュール４を介して無線出力放射モジュール５と接続し、イコライザ３は、イコライザ制御モジュール４と接続する。音量・サウンド制御ユニット４０２は、イコライザ制御回路ユニット４０１と接続する。給電モジュール６は、イコライザ制御回路ユニット４と無線出力放射モジュール５と接続する。【選択図】図１
0003205127.tif 000002
【実用新案登録請求の範囲】
【請求項１】
ギターのサウンド・ホールに取り付けられるワイヤレス・ピックアップであって、
筐体を有し、
前記筐体内に電磁ピックアップ、イコライザ、イコライザ制御モジュール、無線出力放射モジュール及び給電モジュールが設けられ、
前記イコライザは、前記イコライザ制御モジュールと接続し、前記電磁ピックアップは、前記イコライザ制御モジュールを介して、前記無線出力放射モジュールと接続し、
前記イコライザ制御モジュールは、イコライザ制御回路ユニットと音量・サウンド制御ユニットとを有し、
前記音量・サウンド制御ユニットは、前記イコライザ制御回路ユニットと接続し、前記給電モジュールは、前記イコライザ制御回路ユニット及び前記無線出力放射モジュールと接続する、
ことを特徴とするワイヤレス・ピックアップ。
【請求項２】
前記イコライザ制御モジュールは、音声信号受信と増幅信号出力用の音量・サウンド増幅調節回路を更に有し、
前記音量・サウンド増幅調節回路の入力端子は、前記電磁ピックアップと接続し、前記音量・サウンド増幅調節回路の出力端子は、前記イコライザ制御回路ユニットと接続する、
ことを特徴とする請求項１に記載のワイヤレス・ピックアップ。
【請求項３】
前記給電モジュールは、充電インターフェース、充電式電池及び給電回路を備え、
前記充電インターフェースは、前記充電式電池と接続し、前記充電式電池は、前記給電回路経由で前記イコライザ制御モジュール及び前記無線出力放射モジュールに給電する、
ことを特徴とする請求項２に記載のワイヤレス・ピックアップ。
【請求項４】
前記筐体の対称両側に止め金が設けられ、
前記止め金は、止め金基板及び止め金基板上方に配置された活動止め金を有し、
前記止め金基板と前記活動止め金とが滑り合わされ、
前記活動止め金に、プッシュボタン、該プッシュボタン裏側に設けられたガイドピン、及び該ガイドピンにスリーブ接続されたスプリングを有し、
前記筐体に、前記プッシュボタンが該筐体両側の間を横方向に移動するシュートが設けられ、
前記プッシュボタンの先端部に突起部が設けられ、
前記筐体の先端部に、前記突起部とマッチするポジショニング槽を有する、
ことを特徴とする請求項１から３のいずれか一項に記載のワイヤレス・ピックアップ。
【考案の詳細な説明】
【技術分野】
【０００１】
本考案は、楽器演奏の付属品に関し、具体的にはワイヤレス・ピックアップに関する。
【背景技術】
【０００２】
ピックアップは、振動信号を電気信号に変換する装置である。通常、筐体の中に銅線を巻いたシリンダを有し、磁力線を出す。琴線が振動する時、導線が磁力線内を移動し、磁気を電気に変換する。電流が電線を流れ、アコースティックギターのサウンドホール・ピックアップ内部の電気回路に伝導・増幅され、ケーブルを介してスピーカーに入力される。これらの振動信号が処理・増幅されてからスピーカーで出力され、我々に音が聞こえるようになる。ピックアップは電磁誘導の信号変換装置で、磁石に銅線を巻き付けて作成される。アコースティックギターの琴線は金属製で、導線の役割を果たす。ギターを演奏する時、琴線が振動し、導線がピックアップ内にある磁石の磁力線内を移動し、誘導電流を発生させる。このように、ピックアップで琴線の振動する音声信号がアナログ電気信号に変換され、導線を介してスピーカーに転送され、そしてスピーカーでこの電気信号がプリアンプによって修正され、またスピーカーのパワーアンプによって電気信号が増幅される。最後に、ラウドスピーカーで電気信号が音声信号に復元され、このようにギターの音はスピーカーから聞こえるようになる。
【０００３】
現在、市場に出回っているエレキギターやエレクトリックボックスギターは、ギターにあるサウンドホール・ピックアップがシンプルなストリップ電磁ピックアップで、非常に原始的な調節機能しか備えていないため、音声出力ケーブルで外付けの音響増幅器と接続してから、演奏や音声増幅を行っている。ケーブルでスピーカーと接続することは複雑で、演奏前に、配線や接続に大量の時間が必要とされ、スタッフに多大な仕事量をもたらす。また、演奏現場のまわりに設置さる音声出力ケーブルを必要とし、また音声出力ケーブルの長さが限られているため、演奏者の活動できる範囲は狭くなる。
【考案の概要】
【考案が解決しようとする課題】
【０００４】
本考案は、上記従来の技術の問題点に鑑みなされたもので、無線転送機能付きのワイヤレス・ピックアップを提供し、ギター演奏者を音声出力ケーブルの束縛から開放し、自由に動けるようにすることを目的とする。
【課題を解決するための手段】
【０００５】
本考案の目的は、以下の技術案で達成する。
【０００６】
本考案に係るワイヤレス・ピックアップは、筐体を有し、前記筐体内に電磁ピックアップ、イコライザ、イコライザ制御モジュール及び無線出力放射モジュールと給電モジュールを備える。前記イコライザは、イコライザ制御モジュールと接続し、前記電磁ピックアップは、イコライザ制御モジュールを介して無線出力放射モジュールと接続する。前記イコライザ制御モジュールは、イコライザ制御回路ユニットと音量・サウンド制御ユニットから構成される。前記音量・サウンド制御ユニットは、イコライザ制御回路ユニットと接続し、前記給電モジュールはイコライザ制御回路ユニットや無線出力放射モジュールと接続する。
【０００７】
本考案の実施例では、前記イコライザ制御モジュールは、音声信号受信と増幅信号出力用の音量・サウンド増幅調節回路も備える。前記音量・サウンド増幅調節回路の入力端子は電磁ピックアップと接続し、前記音量・サウンド増幅調節回路の出力端子はイコライザ制御回路ユニットと接続する。
【０００８】
また、前記給電モジュールは、充電インターフェース、充電式電池及び給電回路を有する。前記充電インターフェースは、充電式電池と接続し、充電式電池は、給電回路経由でイコライザ制御モジュールや無線出力放射モジュールに給電する。
【０００９】
また、前記筐体の対称両側に止め金を設ける。前記止め金には、止め金基板及び基板上方に配置された活動止め金を有する。前記止め金基板は活動止め金と滑り合わせ、前記活動止め金には、プッシュボタン、プッシュボタン裏側に配置されたガイドピン、ガイドピンにスリーブ接続されたスプリングを有する。前記筐体には、プッシュボタンが筐体両側の間を横方向に移動するシュートを設ける。前記プッシュボタンの先端部には突起部を設け、前記筐体の先端部に突起部とマッチするポジショニング槽を有する。
【考案の効果】
【００１０】
本考案は従来の技術に比べ、以下の利点及び有益な効果を有する。
【００１１】
本考案は電磁ピックアップを介してギター演奏の音声を吸収し、付属のイコライザでサウンドを調節し、また無線出力放射モジュールを通して遠隔受信端子のスピーカーに発信する。これにより、ギター演奏者の移動範囲が、音声出力ケーブルに制限されないようになる。また筐体にイコライザ及び無線出力放射モジュールが内蔵され、原始的でシンプルな音量調節をアップグレードさせる。電気回路を介して調節機能を制御し、楽器の音色を修正し、演奏効果を向上させ、無線伝送機能も実現された。
【図面の簡単な説明】
【００１２】
【図１】本考案のワイヤレス・ピックアップの構造見取り図である。
【図２】本考案のワイヤレス・ピックアップの分解構造見取り図である。
【考案を実施するための形態】
【００１３】
以下、実施例及び添付図面を参照して本考案を詳細に説明する。但し、本考案の実施方法はこれには限らない。
【００１４】
（実施例）
本実施例では、ギターのサウンド・ホールに設けるワイヤレス・ピックアップについて、図１と図２を参照しながら説明する。ワイヤレス・ピックアップは、筐体１を有し、前記筐体１内に電磁ピックアップ２、イコライザ３、イコライザ制御モジュール４及び無線出力放射モジュール５と給電モジュール６を設ける。前記イコライザ３は、イコライザ制御モジュール４と接続し、前記電磁ピックアップ２は、イコライザ制御モジュール４を介して無線出力放射モジュール５と接続する。前記イコライザ制御モジュール４は、イコライザ制御回路ユニット４０１と音量・サウンド制御ユニット４０２から構成される。前記音量・サウンド制御ユニット４０２は、イコライザ制御回路ユニット４０１と接続する。前記給電モジュール６は、イコライザ制御回路ユニット４０１や無線出力放射モジュール５と接続する。
【００１５】
本実施例において、前記イコライザ制御モジュール４は、音声信号受信と増幅信号出力用の音量・サウンド増幅調節回路４０３も備える。前記音量・サウンド増幅調節回路４０３の入力端子は、電磁ピックアップ２と接続する。前記音量・サウンド増幅調節回路４０３の出力端子は、イコライザ制御回路ユニット４０１と接続する。前記構造を介して、電磁ピックアップに吸収された音声信号は、増幅された後、電気回路による制御によって調整される。楽器の音色が修正され、演奏の効果はもっと完璧になる。
【００１６】
本実施例において、前記給電モジュール６には、充電インターフェース５０１、充電式電池５０２及び給電回路を有する。前記充電インターフェース５０１は、充電式電池５０２と接続し、前記充電式電池５０２は、給電回路経由でイコライザ制御モジュール４と無線出力放射モジュール５に給電する。
【００１７】
また、前記筐体１の対称両側に止め金７を設ける。前記止め金７には、止め金基板７０１及び基板７０１上方に配置された活動止め金７０２を有する。前記止め金基板７０１は、活動止め金７０２と滑り合わせる。前記活動止め金７０２には、プッシュボタン７０２１を設ける。プッシュボタン７０２１裏側に配置されたガイドピン７０２２を設ける。ガイドピン７０２２にスリーブ接続されたスプリング７０２３を設ける。前記筐体１には、プッシュボタン７０２１が筐体１両側の間を横方向に移動するシュートを設けている。前記プッシュボタン７０２１の先端部には突起部７０２４が設けられ、前記筐体１の先端部に突起部とマッチするポジショニング槽１０１を設ける。前記構造によって、本考案のワイヤレス・ピックアップを取り付ける際、筐体ごとにギターの取付オリフィスに入れ、プッシュボタンを内側にスライドし、スプリングを引き締める。筐体の位置が限界までなると、プッシュボタンをリリースする。スプリングの弾力によって、プッシュボタンは元の位置に戻る。こうして、プッシュボタンはしっかりとギターのパネルと繋がれ、着脱が便利になり、組立作業を大幅に簡略化する。
【００１８】
以上の記載は、単に本考案の好ましい実施例及び適用する技術原理であり、本考案を限定するものではない。本技術分野を熟知するいかなる技術者が、本考案の真髄と原理に乖離せずに実施した変更・修飾・代替・組合せ・簡略化は、いずれも本考案の技術的範囲に属するものでる。
【符号の説明】
【００１９】
１…筐体、２…電磁ピックアップ、３…イコライザ、４…イコライザ制御モジュール、５…無線出力放射モジュール、６…給電モジュール、１０１…ポジショニング槽、４０１…イコライザ制御回路ユニット、４０２…音量・サウンド制御ユニット、４０３…音量・サウンド増幅調節回路、７０１…止め金基板、７０２…活動止め金、７０２１…プッシュボタン、７０２２…ガイドピン、７０２３…スプリング、７０２４…突起部
【図１】
0003205127.tif 000003
【図２】
0003205127.tif 000004